(57)【要約】【課題】浴槽テレビでは液晶表示部を蓋体部に取り付ける。液晶表示部の回りは黒色に着色する必要があるが、蓋体部は外部に露出するので全体を黒色にできない。そのため一部に黒色の塗装を施すが、その再塗装面に指紋などが付くと商品として使用できない。【解決手段】蓋体部３を本体部２内に納め、カバー４で蓋体部３を覆い隠すことにより蓋体部３全体を黒色の樹脂で成形することができ、これにより蓋体部３の歩留まりが上がり製造コストを下げることができる。【選択図】  図３
2004207801.tif 000002
【特許請求の範囲】
【請求項１】
液晶表示部が取り付けられた蓋体部と、この蓋体部に対して水密に結合される本体部と、蓋体部と本体部とが水密状体に結合された状態で蓋体部側に着脱自在に取り付けられるカバーとからなる浴室テレビにおいて、本体部の内側に蓋体部をはめ込んだ状態で両者を結合し、本体部で蓋体部の外側に段部を形成すると共に、カバーを取り付けた状態で、カバーの開口端部がこの本体部で形成された段部に当接し、蓋体部を露出させないようにしたことを特徴とする浴室テレビ。
【請求項２】
上記蓋体部を黒色の樹脂で成形すると共に、本体部とカバーとを黒色以外の樹脂で成形したことを特徴とする請求項１に記載の浴室テレビ。
【請求項３】
上記本体部とカバーとを互いに同じ色の樹脂で成形したことを特徴とする請求項１または請求項２に記載の浴室テレビ。
【発明の詳細な説明】
【発明の属する技術分野】
本発明は、浴室の壁面に取り付けられる浴室テレビに関する。
【従来の技術】
浴室の壁面に取り付ける浴室テレビでは、液晶表示部やその他の電子回路基板を本体部と蓋体部とで水密状体に密閉する必要がある。蓋体部には液晶表示部が臨むほか、スイッチ類やスピーカが取り付けられており、これらの電子部品についても水密状態を保つ必要がある。スイッチのように可動部を有する電子部品を水密状態にするめには表面を樹脂フィルムで覆うなどの処理が必要であり、このような処理を施した部分は外観上美しくない場合が生じる。そのため、蓋体部と本体部とを結合した状態で更に蓋体部を覆うカバーを着脱自在に取り付けて外観を美しくすることが望まれる。
一方、デザイン上や機能上の理由から液晶表示部の周囲は黒色になるように処理されている（例えば、特許文献１参照）。そのため蓋体に液晶表示部を取り付けた状態で液晶表示部を囲う部分も同様に黒色にしなければデザインが損なわれる。例えば、図４（ａ）に示すように、本体部Ｂと蓋体部Ｌとで水密状態が形成される内部には、液晶表示部Ｄが内蔵されている。この液晶表示部Ｄは蓋体部Ｌに水密状態に固定された透明な窓板Ｗを介して前方に臨んでいる。
窓板Ｗが取り付けられている部分Ｖは液晶表示部Ｄの画面を囲む部分であるため黒色でなければならない。一方、蓋体部Ｌは本体部ＢＴの結合部分で外方に露出するが、このような浴室テレビの外壁は白などの薄い色が好まれる。そのため蓋体部Ｌ自体は白色等の薄い色の樹脂で成形する必要がある。そのため、液晶表示体Ｄを囲む部分Ｖは窓板Ｗを固定する前に黒色に着色する必要がある。
なお、同図（ｂ）に示すように、液晶表示部Ｄを囲む部分を別部材である囲繞部材Ｐとして、この囲繞部材Ｐを黒色の樹脂で成形することも考えられる。
【特許文献１】
特開平１０−３１９８６０号公報
【発明が解決しようとする課題】
上記図４（ａ）に示したものでは、液晶表示体Ｄを囲む部分Ｖを黒色に着色しなければならないが、この着色作業は一般に手作業で行われている。そのため、塗装面が乾燥硬化する前に塗装面に塵埃が付着し、あるいは作業者の指紋が付きいやすい。このように塗装面に塵埃が付着したり指紋が付くと商品性が大幅に低下するため不良品として製品に用いることができない。このため多くの不良品が生じ、歩留まりが低下しコスト高を招くという不具合が生じる。
また、同図（ｂ）に示したものでは囲繞部材Ｐを別部材として成形し、蓋体部Ｌに結合する工程が必要となり、やはりコスト高を招くという不具合が生じる。
そこで本発明は、上記の問題点に鑑み、上記不具合の生じない浴室テレビを提供することを課題とする。
【課題を解決するための手段】
上記課題を解決するために本発明による浴室テレビは、液晶表示部が取り付けられた蓋体部と、この蓋体部に対して水密に結合される本体部と、蓋体部と本体部とが水密状体に結合された状態で蓋体部側に着脱自在に取り付けられるカバーとからなる浴室テレビにおいて、本体部の内側に蓋体部をはめ込んだ状態で両者を結合し、本体部で蓋体部の外側に段部を形成すると共に、カバーを取り付けた状態で、カバーの開口端部がこの本体部で形成された段部に当接し、蓋体部を露出させないようにしたことを特徴とする。
蓋体部がカバーによって覆われて露出しないので、蓋体部全体を液晶表示部の色に合わせた色にしてもよい。そのため、蓋体部の一部に塗装を施したり、あるいは別部材を成形して蓋体部に結合するという作業を一切行う必要が無い。
なお、液晶表示部の表示画面の周囲は黒色であることが多く、その場合には、上記蓋体部を黒色の樹脂で成形すると共に、本体部とカバーとを黒色以外の樹脂で成形すればよい。
また、上記本体部とカバーとを互いに同じ色の樹脂で成形してもよい。
【発明の実施の形態】
図１および図２を参照して、１は本発明による浴室テレビである。この浴室テレビ１は浴室内の壁面に取り付けられる。そのため、ひんぱんに湯水がかかり、あるいは高湿度の雰囲気に長時間さらされる。この浴室テレビ１内には多くの電子部品が内蔵されているため、内部に湯水や湿気が侵入しないように水密状態に密閉されなければならない。
この浴室テレビ１は浴室の壁面に位置する本体部２とこの本体部２に対して水密状態に結合される蓋体部３とを備えている。そして、本体部２と蓋体部３とが結合した状態で蓋体部３を覆うカバー４が着脱自在に取り付けられている。
本体部２と蓋体部３とが形成する内部空間には液晶表示部５を備えた回路基板５１が格納されている。また蓋体部３の正面部分には液晶表示部５が取り付けられる窓穴が形成されており、その窓穴は透明な窓板３０で閉塞されている。この窓板３０は窓穴から湯水等が内部に侵入しないように水密状態で取り付けられている。
また、カバー４の正面は開口４１が形成されており、カバー４を取り付けると蓋体部３の窓板３０がこの開口４１に嵌り、液晶表示部５は窓板３０を介して前方から見ることができる状態になる。
図３を参照して、蓋体部３には全周にわたって連続した結合突起３１が形成されている。一方、本体部２にはこの結合突起３１が挿入される結合溝２１が同じく全周にわたって形成されている。そして、この結合溝２１の底部に発熱線６をセットした状態で結合突起３１を結合溝２１に挿入し、発熱線６を発熱させた状態で蓋体部３を反対部２側に加圧する。すると、結合突起３１の先端と結合溝２１の底部とが発熱線６の発熱により溶融し、両者が一体になる。その後発熱線６の発熱を停止させ、溶融した部分を冷却し硬化させると、結合突起３１と結合溝２１とが全周にわたって連続して一体に結合される。これにより内部が水密状態になる。
この余蘊時本体部２に蓋体部３を結合した状態で、蓋体部３が本体部２の上端縁２２の内側に位置するようにした。そして、カバー４の開口端縁４２がこの上端縁２２に当接するようにカバー４をセットすると、図示のように、外側からは本体部２とカバー４としか見えず、蓋体部３はカバー４により完全に隠されるようにした。
本実施の形態では、液晶表示部５の表示部分の周囲は黒色に着色されている。そのため、蓋体部３も同色である黒色の樹脂で成形した。ただし、液晶表示部の表示部分の周囲の色が黒色以外の場合にはその色に合わせて蓋体部３の色を選択すればよい。また、蓋体部２およびカバー４を共に白色の樹脂で形成したが、ベージュ、ピンク、その他の色の樹脂で成形してもよい。また、本実施の形態では、蓋体部２とカバー４との境界線が浴室テレビ１の側面に位置するので、本体部２とカバー４とを互いに異なる色の樹脂で成形し、浴室テレビ１の外観がいわゆるツートーンになるようにしてもよい。
【発明の効果】
以上の説明から明らかなように、本発明は、本体部と蓋体部とが結合した浴室テレビで、着脱自在のカバーによって蓋体部を覆い隠すので、蓋体部の色を黒色にすることができ、そのため、従来蓋体部の一部を黒色に塗装していた工程を省略することができる。これにより、作業工数が減少するばかりか、塗装工程での不良品の発生が無くなるので、蓋体部の歩留まりがよくなる。
【図面の簡単な説明】
【図１】本発明の一実施の形態の構成を示す図
【図２】浴室テレビの分解斜視図
【図３】本体部と蓋体部との結合部の拡大図
【図４】従来の構成の断面図
【符号の説明】
１  浴室テレビ
２  本体部
３  蓋体部
４  カバー
５  液晶表示部
【図１】
2004207801.tif 000003
【図２】
2004207801.tif 000004
【図３】
2004207801.tif 000005
【図４】
2004207801.tif 000006